(57)【特許請求の範囲】
【請求項１】
家具（１）の捕捉ロック機構であって、少なくとも一部の領域に捕捉構造部（３）を有する調節ホイール（２）と、前記調節ホイール（２）の前記捕捉構造部（３）と協働する整合捕捉具（４）と、を備え、前記整合捕捉具（４）は、シート金属部品で構成されており、前記整合捕捉具（４）は弾性であることを特徴とする捕捉ロック機構。
【請求項２】
前記整合捕捉具（４）は、フレキシブルでバネ性を有する舌部として形成されていることを特徴とする請求項１に記載の捕捉ロック機構。
【請求項３】
前記整合捕捉具（４）はフレキシブルな舌部として形成されており、前記フレキシブルな舌部の両端は固定されていることを特徴とする請求項１または２に記載の捕捉ロック機構。
【請求項４】
前記捕捉構造部（３）は、前記調節ホイール（２）の周辺に配置されていることを特徴とする請求項１から３のいずれか１項に記載の捕捉ロック機構。
【請求項５】
前記整合捕捉具（４）を形成する前記シート金属部品の面は、前記調節ホイール（２）の回転軸に対して略垂直に配向していることを特徴とする請求項１から４のいずれか１項に記載の捕捉ロック機構。
【請求項６】
前記調節ホイール（２）の取付台（５）は、前記整合捕捉具（４）と同じ前記シート金属部品に形成されていることを特徴とする請求項１から５のいずれか１項に記載の捕捉ロック機構。
【請求項７】
前記整合捕捉具（４）は、前記整合捕捉具（４）が前記調節ホイール（２）の前記捕捉構造部（３）と協働する領域内に幅広部（６）を有することを特徴とする請求項１から６のいずれか１項に記載の捕捉ロック機構。
【請求項８】
前記調節ホイール（２）の前記捕捉構造部（３）は突起部又は溝部を有することを特徴とする請求項１から７のいずれか１項に記載の捕捉ロック機構。
【請求項９】
前記整合捕捉具（４）は、少なくとも一部の領域に、前記調節ホイール（２）の前記捕捉構造部（３）に対応するラッチ構造部（７）を有することを特徴とする請求項１から８のいずれか１項に記載の捕捉ロック機構。
【請求項１０】
前記調節ホイール（２）は、片側に、前記調節ホイール（２）の調節用の工具のための凹部（８）を有することを特徴とする請求項１から９のいずれか１項に記載の捕捉ロック機構。
【請求項１１】
前記凹部（８）は六角ソケットの形態に形成されていることを特徴とする請求項１０記載の捕捉ロック機構。
【請求項１２】
前記調節ホイール（２）は、片側に、少なくとも一つの偏心配置されたピン（９）を有することを特徴とする請求項１から１１のいずれか１項に記載の捕捉ロック機構。
【請求項１３】
前記調節ホイール（２）は、片側に、螺旋ガイドトラック又は螺旋ガイド溝（１０）を有することを特徴とする請求項１から１１のいずれか１項に記載の捕捉ロック機構。
【請求項１４】
家具（１）であって、当該家具（１）は請求項１から１３のいずれか１項に記載の捕捉ロック機構を有しており、前記捕捉ロック機構は、当該家具（１）の第１部材（１１）と第２部材（１２）との間に配置されていることを特徴とする家具（１）。
【請求項１５】
前記捕捉ロック機構は、前記家具（１）の前記第１部材（１１）に固定されており、前記家具（１）の前記第２部材（１２）は前記調節ホイール（２）に接続されていることを特徴とする請求項１４記載の家具（１）。
【請求項１６】
前記調節ホイール（２）の回転運動は、前記家具（１）の前記第１部材（１１）に対する前記家具（１）の前記第２部材（１２）の段階的な並進運動に変換可能であることを特徴とする請求項１５記載の家具（１）。
【請求項１７】
前記家具（１）は、前壁（１４）と側壁（１５）とを有する少なくとも一つの引出し（１３）を含んでいることを特徴とする請求項１４から１６のいずれか１項に記載の家具（１）。
【請求項１８】
前記捕捉ロック機構は、前記前壁（１４）を保持する前方装着具（１６）の調節のため、前記引出し（１３）の少なくとも１枚の前記側壁（１５）内に配置されていることを特徴とする請求項１７記載の家具（１）。
【発明の詳細な説明】
【技術分野】
【０００１】
本発明は、家具用の捕捉ロック機構に関する。この機構は、捕捉構造部を少なくとも一部の領域に有する調節ホイールと、調節ホイールの捕捉構造部と協働する整合捕捉具とを含んでおり、整合捕捉具は本質的にはシート金属部品で成る。本発明は、本発明による捕捉ロック機構を有する家具にも関する。
【背景技術】
【０００２】
捕捉ロック機構は、通常は力による取付接続及び／又は形状による取付接続によって特定位置にて部品を堅牢に保持するために使用される。家具の場合には、捕捉ロック機構は様々な領域で利用されている。
【０００３】
例えば、ドイツ実用新案ＤＥ２０２００４００６６４８Ｕ１の明細書では、カムと組み合わされた捕捉ロック機構を提供しており、これは引出しの前壁を保持する前方装着具の段階的な垂直方向での調節の実施を可能にする。捕捉ロック機構は引出し側壁の片側に配置されている。段階的な垂直方向での調節は、調節ホイールが突起部を含んだ基部パネルに平坦状態で接するように実施される。
【０００４】
ドイツ未審査特許出願ＤＥ４４１４９６６Ａ１は、本質的にはＵ形状金属部品から成る捕捉ロック機構を開示しており、ロック機構シャフトはＵ形状部品の肢部間に配置されている。整合捕捉部は環状凹部の内側面に沿って配置された歯状部によって形成されている。
【０００５】
従来技術の一部を形成する家具用の捕捉ロック機構が、その複雑な設計の結果として、相対的に断面が大きい全体高を有することは不利である。この種の捕捉ロック機構を引出し側壁の内側に配置することが望まれる場合に、引出し側壁を相対的に厚くしなければならないことにもなる。
【０００６】
しかしながら、近年は例えば、出来るだけ優美な材料による、省スペースのキッチンなどのための家具の需要が増加している。これまでに知られている捕捉ロック機構はこの嗜好に対する障害であることが分かっている。
【先行技術文献】
【特許文献】
【０００７】
【特許文献１】ドイツ実用新案ＤＥ２０２００４００６６４８Ｕ１
【特許文献２】ドイツ特許出願ＤＥ４４１４９６６Ａ１
【発明の概要】
【発明が解決しようとする課題】
【０００８】
本発明の目的は、前述の欠点を回避し、従来技術に勝る改良された、特に単純で省スペースである設計によって特徴付けられる、家具のための捕捉ロック機構を提供することである。
【課題を解決するための手段】
【０００９】
この目的は、本発明による請求項１の特徴によって達成される。
【００１０】
ここで使用する“シート金属”とは、本質的には金属製の、好適には鋼製である、仕上げ加工されたロール状製品を指す。シート金属は、本発明では、主に平坦に形成されており、例えばプラスチックなどと比べて高い剛性を有することが特徴である。さらに、比較的に加工が容易である。したがって製造技術の点から、本質的には整合捕捉具を構成するシート金属部品がパンチ加工されたシート金属部品であることが有利である。
【００１１】
整合捕捉具は本質的に弾性を有するので、調節ホイールは比較的容易に調節できる。この特性は、例えば整合捕捉具がフレキシブルな（バネ）舌部として形成されるという技術的観点から実現できる。特定の利用形態では、このバネのバネ定数を増加させることが望まれるなら、両端が固定されたフレキシブルな舌部が有利に利用される。
【００１２】
特に平坦で省スペースの設計は、捕捉構造を調節ホイールの外周（外面）に配置することで実現できる。前進移動の目的に使用されるホイールの場合には、ホイールのこの領域は回転面とすることができよう。調節ホイールが筒形状である場合、捕捉構造は外側ケーシング上に配置される。整合捕捉具を形成するシート金属部品の面（平面）が、さらに調節ホイールの回転軸に対して略垂直方向に配向される場合には、調節ホイールと整合捕捉具とを含むこの構造は、断面で見られるように、調節ホイールの全体高によって実質的に決定される全体高を有する。
【００１３】
捕捉ロック機構の非常に単純でそのため安価な設計は、調節ホイールのための取付台（マウント）が整合捕捉具と同じシート金属部品に形成されている点が特徴である。
【００１４】
前述した剛性を変化させる、及び／又はフレキシブルな舌部の形態の実施例の場合には、整合捕捉具のバネ定数を変化させる可能性に加えて、これら２つの特性は、整合捕捉具が調節ホイールの補足構造と協働する領域に、整合捕捉具がテーパ部分又は幅が広くなった部分を有することでも変更できる。
【００１５】
有利には、調節ホイールの捕捉構造は、突起部又は溝部を有する。捕捉構造が調節ホイールの外周に配置されている場合には、これらの突起部又は溝部は放射状に設けられる。
【００１６】
整合捕捉具と調節ホイールの捕捉構造との間の協働は、整合捕捉具が、少なくとも一部の領域に、調節ホイールの捕捉構造と対応するラッチ構造を有することで向上させることができる。
【００１７】
調節ホイールの調節を単純にするため、調節ホイールは片側に工具用の凹部、好適には六角ソケット形態の工具用の凹部を有することができる。工具用の接触面を提供する膨出形状も当然に想定できる。しかしながら、これは、通常は調節ホイールの面から突出し、よって断面で見たとき捕捉ロック機構の全体高を増大させる。
【００１８】
家具の第２部品に対して家具の第１部品を調節するために捕捉ロック機構を使用することが望ましい場合には、捕捉ロック機構はこれら２つの部品の間に配置でき、有利には捕捉ロック機構は第１部品に固定され、第２部品は調節ホイールに接続される。この接続は、例えば調節ホイールが、片側に少なくとも１つの偏心配置されたピン、螺旋ガイドトラック又はガイド溝を有し、家具の第２部品には、少なくとも１つの偏心配置されたピンに対応する凹部（くぼみ）、又はガイドトラック若しくはガイド溝に対応する少なくとも１つのガイド要素が提供されるという技術的観点から実現できる。全体的に調節ホイールの回転運動は、家具の第１部品に対する家具の第２部品の段階的な並進運動として現われ、第２部品は、段階的に通過する任意の捕捉位置において、回転運動を中断することによって固定できる。
【００１９】
利用形態の１例として、特に前壁と側壁とを含んだ引出しが言及でき、捕捉ロック機構は、前壁を保持する前方装着具の調節のため、少なくとも１枚の側壁内に配置されている。捕捉ロック機構は、好適には引出し前壁の垂直方向での調節を実行するように提供される。
【００２０】
本発明のさらなる詳細や利点は、図面で示す実施例を利用して、以下で詳説される。
【図面の簡単な説明】
【００２１】
【図１ａ】図１ａは、開状態の引出しを備えた家具の斜視図である。
【図１ｂ】図１ｂは、図１ａの家具の別な斜視図であり、前壁は上部引出しから外されている。
【図２ａ】図２ａは、引出し側壁の斜視図である。
【図２ｂ】図２ｂは、図２ａの側壁の別な斜視図であり、そこに配置された前方装着具を示すため、側壁の一部のみが示されている。
【図３ａ】図３ａは、図２ｂの前方装着具の拡大詳細図である。
【図３ｂ】図３ｂは、図３ａとは異なる方向から見た、図２ｂの前方装着具の拡大詳細図である。
【図３ｃ】図３ｃは、前方装着具の斜視図であり、前方パネルは図３ｃでは省略されている。
【図３ｄ】図３ｄは、前方装着具の斜視図であり、固定パネルは図３ｄでは省略されている。
【図３ｅ】図３ｅは、前方装着具の斜視図であり、切断部分のみが示されている。
【図３ｆ】図３ｆは、前方装着具の斜視図であり、切断部分のみが示されている。
【図４】図４は、図２ｂと、図３ａから図３ｆの前方装着具の分解図であり、個々の部品が示されている。
【図５】図５は、前方装着具の別な好適実施例の分解図である。
【図６】図６は、捕捉ロック機構の回転可能に取り付けられた調節ホイールを備えた、図２ｂと、図３ａから図３ｆの前方装着具の固定パネルの平面図である。
【発明を実施するための形態】
【００２２】
図１ａと図１ｂは、捕捉ロック機構が設置されている家具１の２つの斜視図である。家具１は３つの引出し１３を含んでおり、引出し１３は本質的にそれぞれ前壁１４、２枚の側壁１５、後壁１７、及び底部パネル１８から構成されている。引出し１３の側壁１５のそれぞれには、前壁１４を保持する前方装着具（この図では図示せず）を調節するための捕捉ロック機構が配置されている。前壁１４は、複数の前方固定手段１９を介して前方装着具に着脱可能に固定されている。図１ｂは、前壁１４が上部引出し１３から取り外された状況を示している。
【００２３】
図２ａと図２ｂは引出しの側壁１５（図１ａと図１ｂ参照）を示しており、この側壁１５は引出しの底部パネル用の搬送レール２０に固定されている。後方部分の左上にて、側壁１５に垂直方向に接続された引出し１３の後壁の固定装置が概略的に示されている。前方部分の右下にて、前述の前方装着具１６は側壁１５内部に配置されており、この前方装着具１６は好適には底部パネル１８の搬送レール１２に溶接されている。前方装着具１６には、通常は前壁にネジ留めされる固定手段１９の一つがピン留めされている。
【００２４】
前方装着具１６及び特に捕捉ロック機構は、以下の図面との関連で特に詳説される。図３ａと図３ｂは、２つの異なる方向から見た前方装着具１６を示しており、図３ａには、引出しの底部パネル（図２ａ及び図２ｂ参照）のための搬送レールに前方装着具１６を固定するための前方パネル２１が配置されている側から見た前方装着具１６が示されている。図３ｂには前方装着具１６の反対側が示されている。概略的に述べれば、前方装着具１６は３つの異なるユニット：前述の前方パネル２１（前方装着具１６は前方パネル２１を介して搬送レールに接続される）、引出しの前壁に接続される垂直調節パネル１２、及び固定パネル１１、に分割できる。垂直調節パネル１２は前方パネル２１と固定パネル１１との間に配置されている。前方装着具１６は本質的にはこれら３つの機能を果たす。先ず、引出しの前壁を固定する着脱可能な方法を提供する。この目的のため、複数のレバー２４、２４’、２５、２５’、バネ２９及びロック解除ネジ２３などから構成される固定機構は垂直調節パネル１２に取り付けられる。前方装着具１６の第２の機能は、横方向の調節の可能性を提供することである。この目的のため、これらは本質的には図３ｂに示される横方向調節ネジ２２が提供され、この横方向調節ネジ２２の回転は、垂直調節パネル１２を固定パネル１１又は前方パネル２１にさらに接近させる。最後に、垂直調節パネル１２は（前方装着具１６の第３の機能として）捕捉ロック機構の補助で上下に移動できる。最初の２つの機能については本発明とは関連しないので、これらの２つの機能についてはこれ以上詳説しない。
【００２５】
図３ｃと図３ｄ及び図３ｅと図３ｆは、図３ａと図３ｂに示す前方装着具１６の２つの別な図をそれぞれ示しており、（前方パネル２１又は固定パネル１１の後方に隠れてしまう）垂直調節パネル１２及び垂直調節パネル１２に配置された部品を示すため、前方パネル２１は図３ｃで省略されており、固定パネル１１は図３ｄで省略されている。図３ｅ及び図３ｆでは、図３ｃと図３ｄに示す前方装着具１６の切断部分がそれぞれの場合で示されている。それぞれの場合のこの切断部分の図示は、関連する断面図の提供を可能にする。
【００２６】
ここで示す好適実施例では、捕捉ロック機構は、その外周領域に捕捉構造を有する調節ホイール２と、調節ホイール２の捕捉構造と協働する整合捕捉具４とを含んでいる。この場合には、整合捕捉具４はパンチ加工されたシート金属部品で構成されており、フレキシブルな舌部として形成されている。このフレキシブルな舌部は両端が固定されており、かつ、調節ホイール２のための取付台が配置されるのと同じシート金属部品に形成されている。整合捕捉具４を形成するシート金属部品の面は、調節ホイール２の回転軸に略垂直に配向している。このように、捕捉ロック機構の非常に平坦な設計が達成される。調節ホイール２のための取付台と整合捕捉具４との両者を含むシート金属部品が固定パネル１１である。調節ホイール２は、片側に、垂直調節パネル１２に配置されている対応する凹部２６内に突出する偏心配置されたピン９を有している。したがって、調節ホイール２の回転運動は、固定パネル１１及び前方パネル２１に対する垂直調節パネル１２の段階的な並進運動となる。
【００２７】
図４は、図２ｂ及び図３ａから図３ｆに示す前方装着具の分解図である。この好適実施例では、前方装着具は特に（左上から右下に向かって）以下の部品を含んでいる。
−前方装着具全体を底部パネルの搬送レールに固定させる前方パネル２１（図２ａと図２ｂ参照）；
−引出しの前壁のための固定又は解放安全機構に必要な部品群。これらは、２部品２４と２４’で成る調節レバー；２部品２５と２５’で成る傾斜レバー；ロック解除ネジ２３；傾斜レバー２５と２５’を垂直調節パネル１２に固定するためのリベット３０；垂直調節パネル１２に対する調節レバー２４、２４’の制御された回転運動に必要な圧力ローラ３０’；及びバネ受領体２８とバネ２９で構成されるバネ付勢装置を含んでいる。引出しの前壁を固定するため、前方固定手段１９が先ず前壁にネジで固定される。この前方固定手段１９は横断ピン３１などを含んでおり、このピン３１は垂直調節パネル１２に配置された適切な形状のスロット３２へ押し込まれ、そこで（ロック解除可能な状態に）ロックされる。
−捕捉ロック機構の調節ホイール２；
−垂直調節パネル１２の横方向の調節ための前述の横方向調節ネジ２２；
−構造物全体を保持、及び／又は、前方パネル２１と固定パネル１１とを互いに所定距離に保つべく提供される複数のスペーサ３０’’；及び最後に、
−調節ホイール２のための取付台及び整合捕捉具４（両端が固定されたフレキシブルな舌部の形態）などを含む固定パネル１１。
【００２８】
捕捉ロック機構と関連するこれらの部品は図４にてそれぞれ拡大表示されている。これらは既述のように、調節ホイール２の片側に偏心して配置されているピン９のための、垂直調節パネル１２に配置された対応する凹部２６；外周領域に捕捉構造３を有する調節ホイール２；及び本質的に弾性を有する整合捕捉具４を含んでいる。この好適実施例では、調節ホイール２は偏心配置されたピン９の側とは反対側に六角ソケット８を有しており、それを介して調節ホイール２は適切な工具の補助で調節される。整合捕捉具４は調節ホイール２の捕捉構造３と対応するラッチ構造７を中央に有しており、かつ、整合捕捉具４が調節ホイール２の捕捉構造３と協働する領域に、幅広部６を有している。
【００２９】
図５は、前方装着具の第２好適実施例の分解図である。図４に示す実施例との違いは、調節ホイール２が偏心配置されたピン及び対応する凹部を介して垂直調節パネル１２に接続されておらず、垂直調節パネル１２に横方向に配置された３つの半円形のガイド要素２７と協働する螺旋ガイドトラック１０を介して接続されている点である。調節ホイール２の回転により、調節ホイール２は、これらのガイド要素２７の一つから、隣接する別のガイド要素２７へと段階的に上下移動する。
【００３０】
最後に、図６は捕捉ロック機構の回転可能に取り付けられた調節ホイール２と共に示される、図２ｂ及び図３ａから図３ｆに示す前方装着具の固定パネル１１の平面図である。拡大部分では、調節ホイール２の捕捉構造３は、整合捕捉具４の対応するラッチ構造７へ正確にフィットし、よってそれと協働する状態が明示されている。
【符号の説明】
【００３１】
１        家具
２        調節ホイール
３        捕捉構造部
４        整合捕捉具
５        調節ホイール用の取付台
６        幅広部
７        ラッチ構造部
８        工具用凹部（六角ソケット）
９        偏心配置されたピン
１０      螺旋ガイドトラック
１１      固定パネル
１２      垂直調節パネル
１３      引出し
１４      前壁
１５      側壁
１６      前方装着具
１７      後壁
１８      底部パネル
１９      前方固定手段
２０      底部パネルの搬送レール
２１      前方パネル
２２      横方向調節ネジ
２３      ロック解除ネジ
２４      調節レバー
２４’    調節レバー
２５      傾斜レバー
２５’    傾斜レバー
２６      偏心配置されたピン用の凹部
２７      螺旋ガイドトラック用のガイド要素
２８      バネ受領体
２９      バネ
３０      リベット
３０’    圧力ローラ
３０’’  スペーサ
３１      ピン
３２      スロット
【図１ａ】
0005985615.tif 000002
【図１ｂ】
0005985615.tif 000003
【図２ａ】
0005985615.tif 000004
【図２ｂ】
0005985615.tif 000005
【図３ａ】
0005985615.tif 000006
【図３ｂ】
0005985615.tif 000007
【図３ｃ】
0005985615.tif 000008
【図３ｄ】
0005985615.tif 000009
【図３ｅ】
0005985615.tif 000010
【図３ｆ】
0005985615.tif 000011
【図４】
0005985615.tif 000012
【図５】
0005985615.tif 000013
【図６】
0005985615.tif 000014